(57)【要約】      （修正有）【課題】通気性かつ通水性に優れ、歩いたり、走ったりしているときに内部で足が滑り、足のずれが生じることを防止する靴を提供する。【解決手段】靴１は、足の甲部を覆い、左側及び右側に接続孔を有するアッパー２と、アッパー２と連結された靴底３とを備える。そして、この靴１は、アッパー２の前方、かつ靴底３との境界部である垂直部２Ａに、アッパー２の外側と内側とを貫通する貫通孔６が複数形成され、一方の貫通孔６を始端とし、他方の貫通孔６を終端とする溝が靴底３に形成されている構成をとる。【選択図】図１
0003218093.tif 000002
【実用新案登録請求の範囲】
【請求項１】
足の甲部を覆い、左側及び右側に接続部を有するアッパーと、前記アッパーと連結された靴底とを備える靴であって、
前記アッパーの前方、かつ前記靴底との境界である垂直部に、前記アッパーの外側と内側とを貫通する貫通孔が複数形成され、
一方の前記貫通孔を始端とし、他方の前記貫通孔を終端とする溝部が、前記靴底に形成されている、
ことを特徴とする靴。
【請求項２】
前記アッパーに、外側と内側とを貫通する通風孔が複数形成されている、
ことを特徴とする請求項１に記載の靴。
【考案の詳細な説明】
【技術分野】
【０００１】
本考案は、通気性及び通水性に優れ、歩いたり、走ったりした際に、内部で足が滑ることを防止する靴に関するものである。
【背景技術】
【０００２】
一般的な靴は、靴底と、この靴底に連結されたアッパーを備えている（例えば、特許文献１）。一般的な靴において、アッパーによって、足の甲部、側部、及び踵部が覆われるように設計されている。特許文献１の靴のように、足全体（甲部、側部、踵部）がアッパーによって覆われていると、足は靴の内部で比較的しっかり固定される。そのため、歩いているときや走っているときに受ける衝撃によって、足が適正な位置から大きくずれることはほとんどない。
【０００３】
一方、アッパーによって、足の甲部のみが覆われ、踵部が覆われていない靴が知られている（例えば、特許文献２）。特許文献２の靴は、靴底と、この靴底に連結され、足の甲部を覆うアッパーと、両端部がアッパーの左右に取り付けられ、アッパーの甲部から靴底の踵部にかけて自在に回動できるストラップとを備えている。この靴では、靴底に踵部まで回動させストラップによって、足の踵部が支持される。そのため、足の踵部が靴底よりも外側（後方）にずれることを防ぐことができる。
【先行技術文献】
【特許文献】
【０００４】
【特許文献１】登録実用新案第３１９７７６１号公報
【特許文献２】米国特許第６９９３８５８号明細書
【考案の概要】
【考案が解決しようとする課題】
【０００５】
特許文献１に記載の靴は、靴の内部に水が浸入した場合、この水が靴の内部に溜まり、使用者に違和感を生じさせる。また、靴の内部に水が溜まると、衛生面からも好ましくない。
特許文献２に記載の靴では、ストラップにより靴底よりも外側（後方）へ足がずれることは防止されるものの、足の側部は固定されていないため、一般的な靴と比較し、靴の内部での足のずれが生じやすい。そして、ストラップをアッパーの甲部に回動させた状態で使用した場合、足の踵部は固定されないため、歩いたり、走ったりしているときに靴の内部で足が滑り、足のずれが生じやすくなる。
【０００６】
そこで、本考案は、通気性かつ通水性に優れ、歩いたり、走ったりしているときに内部で足が滑り、足のずれが生じることを防止する靴を提供することを目的とする。
【課題を解決するための手段】
【０００７】
本考案に係る靴は、足の甲部を覆い、左側及び右側に接続部を有するアッパーと、アッパーと連結された靴底とを備え、アッパーの前方、かつ靴底との境界である垂直部に、アッパーの外側と内側とを貫通する貫通孔が複数形成され、一方の貫通孔を始端とし、他方の貫通孔を終端とする溝部が、靴底に形成されていることを特徴とする。
【０００８】
本考案に係る靴は、アッパーの甲部に、アッパーの外側と内側とを貫通する通風孔が複数形成されていることを特徴とする。
【考案の効果】
【０００９】
本考案に係る靴は、靴底に溝部が形成されており、この溝部は足の滑り止めとして機能する。そのため、歩いたり、走ったりしているときに使用者の足に力が加わった場合や外力が加わった場合でも、足が滑り、足の位置がずれることが防止される。さらに、アッパーの前方の垂直部に貫通孔が複数形成され、溝部は、一方の貫通孔を始端とし、他方の貫通孔を終端とする。そうすると、靴の内部に水が侵入した場合、侵入した水は溝部を流れ、貫通孔から靴の外部に排出される。したがって、靴の内部に水が溜まることを防止でき、使用者に違和感を生じさせることを回避できる共に、靴の内部の衛生状態が悪くなることを防止できる。また、貫通孔を介して、靴の外部から空気が溝部に流入、及び流出するため、靴の内部の通気性を確保できる。
このように、本考案に係る靴は、通気性かつ通水性に優れると供に、歩いたり、走ったりしているときに内部で足が滑り、足のずれが生じることを防止できる。
【００１０】
さらに、本考案に係る靴は、アッパーに外側と内側とを貫通する通風孔が形成されているため、この通気孔を介して、靴の外部の空気が内部に流入したり、内部の空気が外部に流出したりする。そうすると、靴の内部の通気性を確保でき、靴の内部の衛生状態を維持できる。
【図面の簡単な説明】
【００１１】
【図１】本考案に係る靴（左足用）の左側面図である。
【図２】本考案に係る靴（左足用）の右側面図である。
【図３】本考案に係る靴（左足用）の上面図である。
【図４】本考案に係る靴（左足用）の靴底の上面図である。
【図５】本考案に係る靴（左足用）の底面図である。
【考案を実施するための形態】
【００１２】
本実施形態に係る靴を、図１から図５を参照し、説明する。
本実施形態に係る靴は、左足用と右足用を合わせて使用される。左足用の靴と右足用の靴は、左右対象の構造を有している。そのため、本実施形態では、左足用の靴を例に説明し、右足用の靴の説明は省略する。
【００１３】
本実施形態に係る靴１は、図１及び図２に示したように、足の甲部からつま先部を覆うアッパー２と、アッパー２の下側に連結された靴底３と、円形状のリベット４によって、両端がアッパー２に連結されたストラップ５とを備えている。
この靴１は、例えば、幼稚園、小学校、中学校用の外履きや上履きとして、使用される。
なお、図面上、靴１の足長方向を前後方向Ｘ、靴１の高さ方向を上下方向Ｙ、靴１の足幅方向を左右方向Ｚとする。
【００１４】
［アッパー２］
アッパー２は、足の上側を覆うものであり、樹脂製である。
このアッパー２は、靴底３と連結される垂直部２Ａと、前足部（足囲からつま先までの部分）を覆う水平部２Ｂと、中足部の甲部を覆う傾斜部２Ｃ（甲部）と、中足部の側面の一部を覆う側部２Ｄとを有している。垂直部２Ａは、アッパー２の前方、かつアッパー２と靴底３との境界部分である。側部２Ｄは、傾斜部２Ｃから後方にかけて傾斜して形成されている。そのため、靴１を履いた際、内くるぶしや外くるぶしを含む後足部が露出される。
【００１５】
垂直部２Ａには、アッパー２の外側と内側とを貫通する半円状の貫通孔６が複数形成されている。具体的には、左右方向Ｚの左側に４つの貫通孔６Ａ〜６Ｄ、前方に１つの貫通孔６Ｅ、左右方向Ｚの右側に３つの貫通孔６Ｆ〜６Ｈがそれぞれ形成されている。
水平部２Ｂ及び傾斜部２Ｃには、図３に示すように、アッパー２の外側と内側とを貫通する通気孔７が形成されている。この通気孔７は、楕円状であり、左右両側に２つずつ形成されている。左側に形成された通気孔７は長径方向が左後方向となるように形成されており、右側に形成された通気孔７は長径方向が右後方向となるように形成されている。
【００１６】
側部２Ｄの左右両側には、リベット４が挿入される円形状の接続孔８が形成されている（図２）。この接続孔８は、靴１において、接続部として機能する。側部２Ｄの左右方向Ｚの右側（内側部）の接続孔８よりも下方に、内側出っ張り部１３が形成されている。この出っ張り部１３の靴幅方向の幅Ｗは、ストラップ５の端部の厚みと同じ、あるいは端部の厚みよりも大きく設計されている。また、側部２Ｄの左右方向Ｚの左側（外側部）の接続孔８よりも下方に、外側出っ張り部１４が形成されている。
【００１７】
［靴底３］
靴底３は、足の下面を支持するものであり、樹脂製である。この靴底３は、アッパー２と同じ素材で構成されている。
この靴底３のおもて面３Ａには、図４に示すように、複数の溝１０（１０Ａから１０Ｃ）が形成されている。この溝（溝部）１０は、少なくとも貫通孔６を始端又は終端としている。
具体的には、溝１０Ａは、貫通孔６Ａを始端、貫通孔６Ｈを終端として、形成されている。さらに、溝１０Ｂは、貫通孔６Ｂを始端、垂直部２Ａを終端、溝１０Ｃは、貫通孔６Ｃを始端、貫通孔Ｇを終端として、それぞれ形成されている。溝１０Ａから溝１０Ｃは、直線状に形成されている。また、前後方向Ｘに向けて、複数の溝１５が形成され、踵部３Ｃには円環状の溝が形成されている。
また、靴底３のおもて面３Ａには、滑り止めとしての円状の突起１６が所定箇所に形成されている。
【００１８】
一方、靴底３のうら面３Ｂには、図５に示すように、靴底溝１１が複数形成されている。一部の靴底溝１１は、うら面３Ｂから靴底３の側面まで形成されている。これらの一部の底溝１１は、アッパー２に向けて溝幅が小さくなるように設計されている（図１及び図２）。
【００１９】
［ストラップ５］
ストラップ５は、樹脂製であり、アッパー２や靴底３と同じ素材で構成されている。スタラップ５の長さは、靴１のサイズによって、適宜決定され、ストラップ５の厚みは約３ｍｍから６ｍｍに設計されている。
ストラップ５は、バンド状であり、両側に円形の端部を有している。そして、これらの端部には、リベット４が挿入される円形状のリベット挿入孔１２が形成されている（図１及び図２）。このストラップ５は、アッパー２に回動可能に取り付けられる。具体的には、ストラップ５は、湾曲させ、リベット挿入孔１２とアッパー２の接続孔８とを重ね合わせ、重ね合わされた孔にリベット４が挿入され、アッパー２の側部２Ｄの左側及び右側に取り付けられる。
【００２０】
ストラップ５は、アッパー２の傾斜部２Ｃ（甲部）の上端から靴底３の後端の踵部３Ｃまで自在に回動できる。ストラップ５を踵部３Ｃまで回動させた状態で使用した場合、ストラップ５は使用者の踵部を支持するため、使用者の足は、靴１から抜け出しづらくなる。一方、ストラップ５を傾斜部２Ｃの上端まで回動させた場合、靴１は、サンダル様として使用できる。
【００２１】
次に、本実施形態に係る靴１の作用効果について、説明する。
【００２２】
本実施形態に係る靴１では、靴底３のおもて面３Ａの前方に複数の溝１０が形成され、この溝１０は線状に形成されている。そのため、溝１０は、滑り止めとしての役割を担う。そうすると、使用者が歩いたり、走ったりしているときに、複数の溝１０によって、使用者の足に力が加わった場合や外力が加わった場合でも、足が滑り、足の位置がずれることを防止できる。
【００２３】
溝１０は、貫通孔６とそれぞれ繋がっている。そうすると、靴１の内部に水が侵入した場合、この水は溝１０を流れ、貫通孔６から靴１の外部に排出される。そのため、靴１の内部に水が溜まることが防止され、使用者に違和感を生じさせることを回避できる共に、靴１の内部の衛生状態が悪くなることを防止できる。
また、水が浸入していない場合、溝１０及び貫通孔６を介して、靴１の内部に空気が流入又は流出される。そのため、足うらの通気性を確保でき、靴１の内部の衛生状態が悪くなることを防止できる。
【００２４】
本実施形態に係る靴１のアッパー２には、複数の通気孔７が形成されており、この通気孔７を介して、靴１の外部の空気が内部に流入したり、内部の空気が外部に流出したりする。そのため、靴１の内部の通気性を確保でき、靴１の内部の衛生状態が悪くなることを防止できる。
このように、本実施形態に係る靴１は、通気性・通風性にも優れたものである。
【００２５】
また、本実施形態の靴１は、洗浄した後の乾燥中に、貫通孔６や通気孔７から水分が外部に蒸発する。そのため、靴１を乾燥させるための時間を短縮することができる。また、通気孔７にはフックを通すことができるため、靴１を乾燥させやすくなる。
【００２６】
以上、本実施形態について説明したが、これ以外にも、本考案の主旨を逸脱しない限り、上記実施の形態で挙げた構成を取捨選択したり、他の構成に適宜変更することが可能である。例えば、通風孔７は、楕円形に限定されず、アッパー２の内部と外部とを貫通する孔であれば、形状は限定されない。また、貫通孔６、溝１０及び通風孔７の数は、本実施形態の靴１の例に限定されない。
なお、本実施形態では、ストラップ５が設けられた靴１について説明したが、ストラップ５が設けられていない状態でも靴として機能する。
【符号の説明】
【００２７】
１      靴
２      アッパー
２Ａ    垂直部
２Ｂ    水平部
２Ｃ    傾斜部
２Ｄ    側部
３      靴底
３Ａ    おもて面
３Ｂ    うら面
３Ｃ    踵部
４      リベット
５      ストラップ
６      貫通孔
６Ａ〜６Ｈ  貫通孔
７      通気孔
８      接続孔（接続部）
１０    溝（溝部）
１０Ａ〜１０Ｃ  溝（溝部）
１１    靴底溝
１２    リベット挿入孔
１３    内側出っ張り部
１４    外側出っ張り部
１５    溝
１６    突起
Ｗ      幅
Ｘ      前後方向（足長方向）
Ｙ      上下方向（高さ方向）
Ｚ      左右方向（靴幅方向）
【図１】
0003218093.tif 000003
【図２】
0003218093.tif 000004
【図３】
0003218093.tif 000005
【図４】
0003218093.tif 000006
【図５】
0003218093.tif 000007